(57)【要約】  【課題】    走査露光装置において、ライン光を発光させるための駆動回路を簡単な回路構成にすることおよびこれを用いた画像読取装置を提供する。  【解決手段】    駆動電源部３０が複数の第２電極２３に駆動電圧ｖｄを順次印加することによりライン光を発光させるときに、駆動電源部から駆動電圧を印加する第２電極の本数が変更した際、インダクタンス制御手段４５において、共振回路の共振周波数が設定された設定共振周波数になるように、駆動電源部３０とパネル状光源２０Ａと共に共振回路を形成するインダクタンス部４０のインダクタンス値が変更される。【選択図】          図４
2005258295.tif 000002
【特許請求の範囲】
【請求項１】
エレクトロルミネセンス層と、該エレクトロルミネセンス層の一面側に設けられた第１電極と、前記エレクトロルミネセンス層の他面側にストライプ状に設けられた、それぞれ前記第１電極と対向する複数の線状の第２電極とを備えたパネル状光源と、
前記エレクトロルミネセンス層から発光されるライン光を走査させるため、前記複数の第２電極に前記駆動電圧を順次印加する駆動電源部と、
該駆動電源部と前記パネル状光源と共に共振回路を形成する、インダクタンス値の変更が可能なインダクタンス部と、
前記駆動電源部から前記駆動電圧を印加する前記第２電極の本数が変更されたときに、前記共振回路の共振周波数が設定された設定共振周波数になるように前記インダクタンス部のインダクタンス値を変更するインダクタンス制御手段と
を備えたことを特徴とする走査露光装置。
【請求項２】
画像情報が記録された画像記録媒体と、該画像記録媒体から前記画像情報を読取る際に、前記画像記録媒体に対して読取光であるライン光を走査露光する走査露光装置とを有する画像読取装置において、
前記走査露光装置が、
エレクトロルミネセンス層と、該エレクトロルミネセンス層の一面側に設けられた第１電極と、前記エレクトロルミネセンス層の他面側にストライプ状に設けられた、それぞれ前記第１電極と対向する複数の線状の第２電極とを備えたパネル状光源と、
前記エレクトロルミネセンス層から発光されるライン光を走査させるため、前記複数の第２電極に前記駆動電圧を順次印加する駆動電源部と、
該駆動電源部と前記パネル状光源と共に共振回路を形成する、インダクタンス値の変更が可能なインダクタンス部と、
前記駆動電源部から前記駆動電圧を印加する前記第２電極の本数が変更されたときに、前記共振回路の共振周波数が設定された設定共振周波数になるように前記インダクタンス部のインダクタンス値を変更するインダクタンス制御手段と
を備えたものであることを特徴とする画像読取装置。
【請求項３】
前記画像記録媒体が、画像情報を静電潜像として記録し、前記読取光で走査露光されることにより、前記静電潜像に応じた電流を発生する静電記録体であることを特徴とする請求項２に記載の画像読取装置。
【請求項４】
前記画像記録媒体が、画像情報を蓄積記録し、前記読取光で走査露光されることにより、前記画像情報に応じた輝尽発光光を発生する蓄積性蛍光体であることを特徴とする請求項２に記載の画像読取装置。
【発明の詳細な説明】
【技術分野】
【０００１】
本発明は、ライン光を走査露光する走査露光装置、特に、複数本の第２電極に駆動電圧を印加して複数本のライン光を同時に発光させることが可能な走査露光装置に関するものである。
【背景技術】
【０００２】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を静電潜像として記録する画像記録媒体が提案されている。この画像記録媒体として、画像情報を蓄積記録し読取光が走査露光されることにより画像情報に応じた輝尽発光光を発生する蓄積性蛍光体シートや、画像情報を静電潜像として記録し、読取光が走査露光されることにより静電潜像に応じた電流を発生する固体検出器が提案されている。
【０００３】
この画像記録媒体から記録された画像情報を読取る方法として、画像記録媒体に対して読取光を走査露光して画像情報を読取る方法がある。この読取光を走査露光する走査露光装置が画像記録媒体に対してこの読取光照射部を積層されることにより、画像記録媒体と走査露光装置とを一体的に形成した画像読取装置が提案されている（たとえば特許文献１参照。）。
【０００４】
上述した走査露光装置には、それぞれ平行に配列された光透過性の複数の第２電極と、平板状の金属からなる背面電極と、第２電極と背面電極の間に設けられたエレクトロルミネセンス層（以下、「ＥＬ層」という）とを備えたパネル状光源が用いられている。そして、第２電極に順次駆動電圧が印加されることにより、駆動電圧が印加された第２電極の領域にあるＥＬ層が発光してライン光が順次走査するようになっている。走査露光装置においてＥＬ層に無機ＥＬが用いられているとき、第２電極と背面電極とには交流のパルス電圧が印加され、パルス電圧の立ち下がりもしくは立ち上がり時に無機ＥＬ層から光が射出されるようになっている。
【０００５】
この走査露光装置の等価回路は、第２電極と第１電極とにより形成される複数のコンデンサが並列接続された共振回路としてとして表現することができる。そして、コンデンサに対して効率的に電流を流すために、パネル状光源と駆動電源部とにはコイルが電気的に接続されている（たとえば特許文献２、３参照。）。ここで、駆動電圧の交流周波数が共振回路の共振周波数に一致するようにパネル状光源に駆動電圧を印加し、電気的損失を最小にする方法や、パネル状光源に形成された駆動画素数もしくは駆動画素毎にそれぞれ駆動電圧の周波数を変更する方法が提案されている（たとえば特許文献４参照。）。
【特許文献１】特開２０００−１６２７２６号公報
【特許文献２】米国特許第４７０７６９２号明細書
【特許文献３】米国特許第６４４８９５０Ｂ１号明細書
【特許文献４】特開２００３−３３２０８５号公報
【発明の開示】
【発明が解決しようとする課題】
【０００６】
しかし、上述したような交流周波数を変更する駆動電源を、上述したライン光を走査させるための走査露光装置に適用した場合、駆動電源回路が複雑になってしまうという問題がある。すなわち、特許文献２〜４におけるパネル状光源は画像を表示するために画素が格子状に形成されたものであり、表示する画像によって発光する画素数が変化していくものである。よって、特許文献２〜４においては、この発光画素数の変化に伴うコンデンサ容量の変化に応じて駆動電圧の周波数を変更するようになっている。このため、従来のパネル状光源においては、小さな画素の発光画素数の変化に伴う微小な共振周波数の変化に合わせて、駆動電圧の交流周波数を変化させることができるような駆動電源回路が用いられる。
【０００７】
一方、固体検出器等に対してライン光を射出するようなパネル状光源の場合、ライン光の射出幅は駆動電圧を印加する第２電極の本数によって決まり、固体検出器等にライン光を照射している最中に、ライン光の射出幅が変化することはない。すなわち、共振回路の共振周波数は固体検出器等の読取りの最中に変更することはなく、駆動電圧を印加する第２電極の本数によって決まる。よって、ライン光を射出するパネル状光源において、上述のような画素を発光させるパネル状光源と同様の駆動電源回路を用いた場合、かえって駆動電源回路が複雑になってしまうという問題がある。
【０００８】
そこで、本発明は、駆動回路の簡単な回路構成により効率的にパネル状光源を駆動することができる走査露光装置およびこれを用いた画像読取装置を提供することを目的とする。
【課題を解決するための手段】
【０００９】
本発明の走査露光装置は、エレクトロルミネセンス層と、エレクトロルミネセンス層の一面側に設けられた第１電極と、エレクトロルミネセンス層の他面側にストライプ状に設けられた、それぞれ第１電極と対向する複数の線状の第２電極とを備えたパネル状光源と、エレクトロルミネセンス層から発光されるライン光を走査させるため、複数の第２電極に駆動電圧を順次印加する駆動電源部と、駆動電源部とパネル状光源と共に共振回路を形成する、インダクタンス値の変更が可能なインダクタンス部と、駆動電源部から駆動電圧を印加する第２電極の本数が変更されたときに、共振回路の共振周波数が設定された設定共振周波数になるようにインダクタンス部のインダクタンス値を変更するインダクタンス制御手段とを備えたものであることを特徴とするものである。
【００１０】
本発明の画像読取装置は、画像情報が記録された画像記録媒体と、画像記録媒体から画像情報を読取る際に、画像記録媒体に対して読取光であるライン光を走査露光する走査露光装置とを有する画像読取装置において、走査露光装置が、エレクトロルミネセンス層と、エレクトロルミネセンス層の一面側に設けられた第１電極と、エレクトロルミネセンス層の他面側にストライプ状に設けられた、それぞれ第１電極と対向する複数の線状の第２電極とを備えたパネル状光源と、エレクトロルミネセンス層から発光されるライン光を走査させるため、複数の第２電極に駆動電圧を順次印加する駆動電源部と、駆動電源部とパネル状光源と共に共振回路を形成する、インダクタンス値の変更が可能なインダクタンス部と、駆動電源部から駆動電圧を印加する第２電極の本数が変更されたときに、共振回路の共振周波数が設定された設定共振周波数になるようにインダクタンス部のインダクタンス値を変更するインダクタンス制御手段とを備えたものであることを特徴とするものである。
【００１１】
ここで、インダクタンス部は、インダクタンス値が変更できるものであればその構成は問わず、たとえば複数のコイルをスイッチングを介して並列接続させ、スイッチング動作によりインダクタンス値を変更するものであってもよいし、２次コイル等を用いてインダクタンス値を変更するようにしてもよい。
【００１２】
また、各第２電極がそれぞれ第１電極と対向するように第１電極が設けられていればその形状は問わず、たとえば第１電極を平板状に形成して、複数の第２電極がそれぞれ第１電極と対向するようにしてもよいし、第１電極が第２電極の形成部位に複数の線状電極を有するようにして、複数の第２電極が第１電極とそれぞれ対向するようにしてもよい。
【発明の効果】
【００１３】
本発明の走査露光装置および画像読取装置によれば、インダクタンス制御手段が駆動電源部から駆動電圧を印加する第２電極の本数が変更したときに、共振回路の共振周波数が予め設定された設定共振周波数になるようにインダクタンス部のインダクタンス値を変更することにより、インダクタンス部のインダクタンス値を変更することにより共振回路の共振周波数を設定共振周波数にすることができるため、駆動電圧の交流周波数に変更が不必要になり回路の簡略化を図ることができる。
【発明を実施するための最良の形態】
【００１４】
以下、図面を参照して本発明の走査露光装置およびこれを用いた画像読取装置の実施の形態を詳細に説明する。図１は本発明の走査露光装置を適用した画像読取装置の概略構成図である。この画像読取装置１は、画像情報を静電潜像として記録した画像記録媒体１０と、画像記録媒体１０に読取光Ｌを走査露光する走査露光装置２０とを有している。
【００１５】
まず、図１を参照して画像記録媒体１０について説明する。画像記録媒体１０は、たとえば特開２０００−２８４０５６号公報に開示されているような、いわゆる光読み出し方式の画像記録媒体であって、第１電極１１、読取用光導電層１２、電荷輸送層１３、記録用光導電層１４、第２電極１５を積層した構造を有している。
【００１６】
第１電極１１はたとえばネサ被膜等からなり、走査方向（矢印Ｘ方向）に向かって延びた副数本の第２電極が略平行に形成された構造を有している。この第１電極１１は、各第２電極は電気的に絶縁した状態になっている。読取用光導電層１２はたとえばアモルファスセレンからなっており、読取光Ｌの照射により導電性を呈し電荷対を発生するものである。電荷輸送層１３は読取用光導電層１２に積層されており、負電荷に対しては略絶縁体として作用し、正電荷に対しては略導電体として作用するようになっている。記録用光導電層１４は、たとえばアモルファスセレンからなっており、記録用の電磁波（光または放射線）の照射によって導電性を呈し電荷対を発生するようになっている。さらに、記録用光導電層１４の上には、照射される記録用の電磁波を透過するたとえばＩＴＯ膜（Ｉｎｄｉｕｍ  Ｔｉｎ  Ｏｘｉｄｅ）等の材料からなる第２電極１５が積層されている。
【００１７】
ここで、電荷輸送層１３と記録用光導電層１４との界面には蓄電部１９が形成されている。つまり、記録用光導電層１４内で発生した電子が、第１電極１１と第２電極１５の間で形成される電界により、第１電極１１側へ移動しようとしたときに、電荷輸送層１３によってその移動が制限されるようになっている。よって蓄電部１９には、記録用の電磁波の照射量に応じた電荷が静電潜像として蓄積され、画像情報が記録されることになる。
【００１８】
ここで、画像記録媒体１０に画像情報を記録するとき、信号取得部５０から第１電極１１と第２電極１５との間に高電圧が印加される。すると、第１電極１１には負電荷が帯電し、第２電極１５には正電荷が帯電する。次に、第２電極１５側から記録用の電磁波が照射されたとき、記録用の電磁波の照射量に応じて、記録用光導電層１４において正負の電荷対が発生する。そのうち、電荷対の正孔は第２電極１５側に移動し、第２電極１５の負電荷と結合し消滅する。一方、電荷対の電子は、第１電極１１側に移動するが、電荷輸送層１３によってその移動が制限される。これにより、蓄電部１９に静電潜像として画像情報が記録される。
【００１９】
蓄電部１９に記録された画像情報を読取る場合、走査露光装置２０から矢印Ｙ方向に延びているライン状の読取光Ｌが、第１電極１１側から矢印Ｘ方向に走査しながら照射される。すると、読取光Ｌの照射量に応じた電荷対が読取用光導電層１２において発生する。発生した電荷対の正孔は、電荷輸送層１３を透過して蓄電部１９に蓄積された負電荷と結合し消滅する。一方、電荷対の電子は第１電極１１側へ移動し正電荷と結合する。そして、第１電極１１において正孔と負電荷が結合したときに電流が流れる。この電流の変化を検出することにより画像情報が読み取られる。
【００２０】
図２は本発明の走査露光装置の好ましい実施の形態を示す断面図であり、図１と図２を参照して走査露光装置２０について説明する。走査露光装置２０は、画像記録媒体１０に対して絶縁層１７を介して積層された、画像記録媒体１０に対してライン光を走査しながら露光するパネル状光源２０Ａと、パネル状光源２０Ａに対し駆動電圧を印加する駆動電源部３０とを有している。
【００２１】
パネル状光源２０Ａは、たとえば厚膜誘電体型無機ＥＬ発光パネルであって、エレクトロルミネセンス層（以下、「ＥＬ層」という）２２と、エレクトロルミネセンス層２２の一面側に設けられた第１電極２１と、ＥＬ層２２の他面側にストライプ状に設けられた、それぞれ第１電極２１と対向する複数の線状の第２電極２３とを備えている。
【００２２】
ここで、第１電極２１は、たとえばＩＴＯ膜等の光透過性の電極であって、画像記録媒体１０に対して絶縁層１７を介して積層されている。図２において、第１電極２１は画像記録媒体１０に対して平板状に形成された平板電極からなっている。無機ＥＬ層２２は、硫化亜鉛等の無機材料を含むものであって、第１電極２１に対して誘電体２４を介して積層されている。各第２電極２３は、無機ＥＬ層２２に対して絶縁層２５を介して積層された線状電極であって、たとえば幅５０μｍのアルミ電極が１００μｍ間隔で平行に並んだストライプ状の構造を有している。
【００２３】
図３は、駆動電源部３０の一例を示す模式図であり、図３を参照して駆動電源部３０について説明する。この駆動電源部３０は、交流のパルス状の駆動電圧ｖｄを出力するものであって、第１電極２１および複数の第２電極２３に電気的に接続されている。特に、駆動電源部３０は、各第２電極２３にそれぞれ接続された複数のスイッチング素子からなるスイッチング手段３１を介して各第２電極２３に電気的に接続されており、スイッチング手段３１におけるスイッチング素子をＯＮ／ＯＦＦすることにより第２電極２３への駆動電圧ｖｄの印加が制御されている。このスイッチング手段３１は駆動制御手段３２によりその動作が制御されており、駆動制御手段３２がスイッチング手段３１に対して矢印Ｚ１方向に向かって順次スイッチングをＯＮ状態にするように制御することにより、駆動電圧ｖｄが第２電極２３に対して矢印Ｚ１方向に向かって順次印加される。すると、駆動電圧ｖｄが印加された第２電極２３と第１電極２１とに挟まれた領域の無機ＥＬ層２２が矢印Ｚ１方向に向かって走査しながら発光するようになっている。
【００２４】
さらに、駆動制御手段３２は、１本の第２電極２３に対して駆動電圧ｖｄを印加する場合のみならず、複数の第２電極２３に対して駆動電圧ｖｄを印加するように制御する機能を有している（ビニング）。このとき駆動制御手段３２は、スイッチング手段３１における隣り合う複数のスイッチング素子を同時にＯＮ状態にするとともに、駆動電源部３０に対して２つの第２電極２３に対してそれぞれ駆動電圧ｖｄを印加するように制御するようになっている。
【００２５】
なお、各第２電極２３と駆動電源部３０との接続部位３０ａにおいて、ＡＣＦ（Ａｎｉｓｏｔｒｏｐｉｃ Ｃｏｎｄｕｃｔｉｖｅ Ｆｉｌｍ：異方性導電フィルム）ではなくＮＣＦ（Ｎｏｎ Ｃｏｎｄｕｃｔｉｖｅ ｒｅｓｉｎ Ｆｉｌｍ：導電性粒子のない絶縁フィルム）が用いられている。すなわち、各第２電極２３と駆動電源部３０の接続端子とをＡＣＦを用いて加熱圧着したとき、第２電極２３間に存在するＡＣＦに含まれる導電金属がノイズ源になってしまうという問題が生じる。一方、各第２電極２３と駆動電源部３０の接続端子とにそれぞれバンプを形成し、それぞれのバンプをＮＣＦを用いて加熱圧着することにより各第２電極２３と駆動電源部３０とが電気的に接続される。これにより、第２電極２３間に導電金属物質がないためノイズの増加を防ぐことができる。
【００２６】
図４は上述した走査露光装置３０の等価回路の一例を示す回路図である。図４において、走査露光装置３０は、パネル状光源２０Ａと駆動電源部３０と共に共振回路を形成する、インダクタンス値の変更が可能なインダクタンス部４０と、駆動電源部３０から駆動電圧を印加する第２電極の本数が変更したときに、共振回路の共振周波数が予め設定された設定共振周波数になるようにインダクタンス部４０のインダクタンス値を変更するインダクタンス制御手段４５とを備えている。
【００２７】
ここで、インダクタンス部４０にはパネル状光源２０Ａと駆動電源部３０とに直列接続された第１コイル４０ａと、第１コイル４０ａに並列接続された第２コイル４０ｂおよび第３コイル４０ｃとを有し、第２コイル４０ｂおよび第３コイル４０ｃには、それぞれ共振回路に対する電気的接続をＯＮ／ＯＦＦするためのスイッチング素子４１が接続されている。このスイッチング素子４１の動作はインダクタンス制御手段４５により制御されており、インダクタンス制御手段４５はスイッチング素子４１のＯＮ／ＯＦＦによりインダクタンス部４０のインダクタンス値が変更させるようになっている。このとき、インダクタンス制御手段４５は、駆動制御手段３２において駆動電圧ｖｄが印加された第２電極２３の本数に合わせて、スイッチング素子４１のＯＮ／ＯＦＦを制御するようになっている。
【００２８】
具体的には、インダクタンス制御手段４５において、たとえば１本の第２電極２３により形成されるコンデンサと第１コイル４０ａとにおける設定共振周波数ｆｒｅｆが設定されており、駆動電源部３０はこの設定共振周波数ｆｒｅｆに一致するような駆動周波数の駆動電圧ｖｄを出力するものであるとする。したがって、駆動電圧が第２電極２３に一本ずつ順次印加されていくとき、インダクタンス制御手段４５はスイッチング素子４１がＯＦＦ状態になるように制御する。
【００２９】
一方、駆動電圧が複数本の第２電極２３に同時に順次印加されていくとき、共振回路の共振周波数ｆｒが設定共振周波数ｆｒｅｆからずれる。このとき、インダクタンス制御手段４５は、駆動電圧が印加される第２電極２３の本数の増加によるコンデンサ容量の増加に合わせて、スイッチング素子４１をＯＮ／ＯＦＦすることにより、共振周波数ｆｒが設定共振周波数ｆｒｅｆに一致するようにインダクタンス値を変更する。
【００３０】
このように、第２電極２３の駆動本数が変更されたときであっても、インダクタンス部４０のインダクタンス値を変更することにより共振回路の共振周波数を常に設定共振周波数ｆｒｅｆにすることによって、駆動電源部３０の回路構成を複雑にすることなくパネル状光源２０Ａに効率的に電流を流すことができる。すなわち、画素毎に駆動するパネル状光源とは異なり、ライン光を射出するパネル状光源においては、画像記録媒体１０へのライン光の照射の最中に第２電極２３の駆動本数が変更されない。したがって、駆動電源部３０から印加される駆動電圧の周波数を変更したときには、共振回路側において共振周波数ｆを変更せず常に設定周波数ｆｒｅｆとなるようにすれば、駆動電源部３０における共振周波数を変更する複雑な回路が不要となる。
【００３１】
次に、図１から図４を参照して走査露光装置２０の動作例について説明する。まず、図４の走査露光装置２０の駆動電源部３０において、１つの第２電極２３に対して駆動電圧ｖｄが矢印Ｚ１方向に沿って順次印加されるとき、インダクタンス制御手段４５においてスイッチング素子４１がすべてＯＦＦ状態になり、インダクタンス部４０において第１コイル４０ａのみが共振回路に直列接続された状態になっている。
【００３２】
次に、駆動電圧ｖｄを印加する第２電極２３を１本から２本に変更したとき（ビニング）、駆動制御手段３２において隣り合う２つの第２電極２３毎にスイッチング手段３１のスイッチがＯＮになり、駆動電源部３０から２つの第２電極２３に対して駆動電圧ｖｄが印加される。すると、図４の等価回路において、２つのコンデンサが並列接続された状態になり、１つの第２電極２３が接続された場合に比べてコンデンサ容量が増加し共振周波数ｆも変化する。
【００３３】
このとき、インダクタンス制御手段４５において、２つの第２電極２３が電気的に接続された場合のコンデンサ容量に基づいて、共振周波数ｆｒが設定共振周波数ｆｒｅｆになるようなインダクタンス値が算出される。その後、算出されたインダクタンス値に基づいてインダクタンス制御手段４５によりスイッチング素子４１のスイッチング動作が行われ、インダクタンス部４０のインダクタンス値が変更される。
【００３４】
上記実施の形態によれば、インダクタンス制御手段４５が駆動電源部３０から駆動電圧ｖｄを印加する第２電極２３の本数が変更したときに、共振回路の共振周波数ｆｒが予め設定された設定共振周波数ｆｒｅｆになるようにインダクタンス部４０のインダクタンス値を変更することにより、インダクタンス部４０のインダクタンス値を変更することにより共振回路の共振周波数ｆｒを設定共振周波数ｆｒｅｆにすることができるため、駆動電圧ｖｄの交流周波数に変更が不必要になり回路の簡略化を図ることができる。
【００３５】
図５は本発明の走査露光装置の別の実施の形態を示す断面図であり、図５を参照して走査露光装置１２０について説明する。なお図５の走査露光装置１２０において図１から図４の走査露光装置１００と同一の構成を有する部位には同一の符号を付してその説明を省略する。
【００３６】
図５の走査露光装置１２０が図２の走査露光装置２０と異なる点は、第１電極１２１が平板状ではなくストライプ状に配列された複数の線状の電極からなっている点である。すなわち、図５の第１電極１２１は、第２電極２３に対向するように設けられたストライプ状の複数の線状電極１２１ａを有している。この第１電極１２１の各線状電極１２１ａは、それぞれスイッチング手段１３１を介して駆動電源部３０に電気的に接続されており、スイッチング手段１３１により駆動電圧ｖｄの印加が制御されている。そして、ある第２電極２３に駆動電圧ｖｄが印加されたとき、スイッチング手段１３１は、駆動電圧ｖｄが印加される第２電極２３（駆動電極２３ｘ）に対向する線状電極１２１ａを電気的に接続するようになっている。
【００３７】
このように、第１電極１２１が平板状ではなく、ストライプ状の複数の線状電極１２１ａからなるようにすることにより、無機ＥＬ層２２を発光させる際の第１電極１２１側に対する充電電流を小さくすることができるとともに、バイアス電圧ｖｂを印加してから所定の電圧になるまでの立ち上がり速度を速くすることができる。
【００３８】
また、図５のような走査露光装置１２０であっても、図４に示すインダクタンス制御手段４５が駆動電源部３０から駆動電圧ｖｄを印加する第２電極２３の本数が変更したときに、共振回路の共振周波数ｆｒが予め設定された設定共振周波数ｆｒｅｆになるようにインダクタンス部４０のインダクタンス値を変更することにより、インダクタンス部４０のインダクタンス値を変更することにより共振回路の共振周波数ｆｒを設定共振周波数ｆｒｅｆにすることができるため、駆動電圧ｖｄの交流周波数に変更が不必要になり回路の簡略化を図ることができる。
【００３９】
本発明の実施の形態は、上記各実施の形態に限定されない。たとえば、図１の画像読取装置１において、画像記録媒体１０の一例として固体検出器の場合について例示しているが、蓄積性蛍光体シートの場合にも上述した走査露光装置２０を適用することができる。
【００４０】
また、図４において、インダクタンス部４０は、複数のコイルをスイッチング素子４１を介して接続することによりインダクタンス値を変更する構成を有しているが、第１コイル４０ａに対して相互誘導を起こす２次コイルを配置してインダクタンス値を変更するようにしてもよい。
【００４１】
さらに、上記実施の形態において、第１電極２１と第２電極２３とにより形成されるコンデンサとインダクタンス部４０とにより共振回路が形成されている場合について例示しているが、第１電極２１と第２電極２３とおける内部抵抗を考慮したＬＣＲ共振回路として共振周波数を算出するようにしてもよい。
【図面の簡単な説明】
【００４２】
【図１】本発明の走査露光装置および画像読取装置の好ましい実施の形態を示す構成図
【図２】本発明の走査露光装置の好ましい実施の形態を示す断面図
【図３】図１の走査露光装置における第２電極の様子を示す平面図
【図４】図１の走査露光装置の等価回路の一例を示す回路図
【図５】本発明の走査露光装置の別の実施の形態を示す断面図
【符号の説明】
【００４３】
１     画像読取装置
１０   画像記録媒体
２０、１２０   走査露光装置
２０Ａ パネル状光源
２１、１２１   第１電極
２２   無機ＥＬ層
２３   第２電極
３０   駆動電源部
３０   走査露光装置
３１   スイッチング手段
４０   インダクタンス部
４１   スイッチング素子
４５   インダクタンス制御手段
ｆｒ   共振周波数
ｆｒｅｆ       設定共振周波数
ｖｄ   駆動電圧
【図１】
2005258295.tif 000003
【図２】
2005258295.tif 000004
【図３】
2005258295.tif 000005
【図４】
2005258295.tif 000006
【図５】
2005258295.tif 000007